(57)【要約】【課題】　ランプアセンブリ、これを利用した光供給モジュール及びこれを備える３段分離形液晶表示装置を提供する。【解決手段】　ディスプレーに必要な光を発生する光供給モジュール７００と光供給モジュール７００で発生した光の光学分布を変更する光分布変更モジュール８００とを第１固定ねじ７５０により固定する。光分布変更モジュール８００からの光を利用するディスプレーモジュールと光分布変更モジュール８００とは第２固定ねじ９５０により固定される。光供給モジュール７００、光分布変更モジュール８００及びディスプレーモジュール９００は、第３固定ねじ９７０により固定される。これにより、修理または交替を必要とする部分のみを分離して修理及び部品交替を容易に行うことができ、液晶表示パネルアセンブリ９１０などが修理及び部品交替過程で汚染したり、破損することを防止する。【選択図】　　　図１
2004079531.tif 000002
【特許請求の範囲】
【請求項１】
蛍光層が内壁に塗布され、放電ガスが注入されたランプ本体、前記ランプ本体内部で放電を発生させるために第１放電電圧を前記ランプ本体に印加する第１電極、及び第２放電電圧を前記本体に印加する第２電極を各々含む少なくとも二つのランプと、
　前記第１放電電圧を前記ランプの第１電極に印加するために、前記第１電極に結合される第１基板と
を含むことを特徴とするランプアセンブリ。
【請求項２】
前記第１基板は、第１基板本体、前記第１電極が挿入されるように第１基板本体に形成された第１接触貫通孔、及び前記第１電極に電気的に連結された第１導電性パターンを含むことを特徴とする請求項１に記載のランプアセンブリ。
【請求項３】
前記第１導電性パターンには前記第１放電電圧が印加される第１端子が結合される第１コネクタが設けられたことを特徴とする請求項２に記載のランプアセンブリ。
【請求項４】
前記第１端子は前記第１放電電圧を供給するインバータに連結されることを特徴とする請求項３に記載のランプアセンブリ。
【請求項５】
前記第１接触貫通孔、前記第１電極及び前記第１導電性パターンははんだ付けにより電気的に連結されることを特徴とする請求項２に記載のランプアセンブリ。
【請求項６】
前記第１電極の動きを防止するために一方の端部が前記第１基板に結合された第１ランプホルダーをさらに含むことを特徴とする請求項１に記載のランプアセンブリ。
【請求項７】
前記第２放電電圧を前記ランプの第２電極に印加するために、前記第２電極には第２基板が結合されることを特徴とする請求項１に記載のランプアセンブリ。
【請求項８】
前記第２基板は、第２基板本体、前記第２電極が挿入されるように前記第２基板本体に形成された第２接触貫通孔、及び前記第２電極に電気的に連結された第２導電性パターンを含むことを特徴とする請求項７に記載のランプアセンブリ。
【請求項９】
前記第２導電性パターンには前記第２放電電圧が印加される第２端子が結合される第２コネクタが設けられることを特徴とする請求項８に記載のランプアセンブリ。
【請求項１０】
前記第２端子は前記第２放電電圧を供給するインバータに連結されることを特徴とする請求項９に記載のランプアセンブリ。
【請求項１１】
前記第２接触貫通孔、前記第２電極及び前記第２導電性パターンははんだ付けにより電気的に連結されることを特徴とする請求項８に記載のランプアセンブリ。
【請求項１２】
前記第１電極及び第２電極の動きを防止するために一方の端部が前記第２基板に結合された第２ランプホルダーをさらに含むことを特徴とする請求項７に記載のランプアセンブリ。
【請求項１３】
前記ランプは４個であることを特徴とする請求項１に記載のランプアセンブリ。
【請求項１４】
基底面、及び前記基底面のエッジから収納空間が形成されるように延びる第１、第２、第３及び第４の側壁を含む収納容器と、
　前記基底面、前記第３側壁、及び前記第３側壁と向き合う第４側壁に隣接して設けられる第１及び第２ランプアセンブリ固定ブロックであって、その上面に第１、第２リセス部が形成された、棒状の第１及び第２ランプアセンブリ固定ブロックと、
　各々の前記ランプアセンブリ固定ブロックに形成されたスロットに前記基底面と平行に挿入されて固定された反射部材と、
　前記第１、第２リセス部に各々挿入された第１、第２基板及び前記第１、第２基板に各々連結された第１、第２電極を有するランプを含むランプアセンブリと、
　挿入された前記第１、第２基板を絶縁するために前記第１及び第２ランプアセンブリ固定ブロックを各々覆う第１及び第２絶縁ブロックとを含むことを特徴とする光供給モジュール。
【請求項１５】
前記基底面及び互いに向き合う第１、第２側壁に隣接して設けられた、棒状に形成された第１及び第２光学シート固定ブロックが設けられたことを特徴とする請求項１４に記載の光供給モジュール。
【請求項１６】
前記第１及び第２光学シート固定ブロックには、光学シートを定着するために前記光学シート固定ブロックの長さ方向に第１棚部及び第２棚部が形成されたことを特徴とする請求項１５に記載の光供給モジュール。
【請求項１７】
前記第３側壁、第４側壁及び前記第１及び第２ランプアセンブリ固定ブロックには締結孔が形成されたことを特徴とする請求項１４に記載の光供給モジュール。
【請求項１８】
前記第１及び第２ランプアセンブリ固定ブロック及び前記反射板は締結ねじにより締結されることを特徴とする請求項１４に記載の光供給モジュール。
【請求項１９】
前記第１、第２基板には各々第１放電電圧及び第２放電電圧が供給される第１、第２コネクタがさらに設けられることを特徴とする請求項１４に記載の光供給モジュール。
【請求項２０】
前記第１、第２コネクタに対応する前記基底面及び前記第１及び第２ランプアセンブリ固定ブロックには、前記第１、第２コネクタに各々結合される第１、第２端子が通過する開口が形成されたことを特徴とする請求項１９に記載の光供給モジュール。
【請求項２１】
前記第１及び第２絶縁ブロックの上面には、光学シートが定着されるために前記第１及び第２絶縁ブロックの長さ方向に第３棚部及び第４棚部が形成されたことを特徴とする請求項１４に記載の光供給モジュール。
【請求項２２】
光を供給するランプアセンブリ及び前記ランプアセンブリを収納する基底面と複数の側壁とを有する収納容器を含む光供給モジュールと、
　前記ランプアセンブリから供給される光の光学分布を変更させて射出する光学シート、前記光学シートの底面エッジが定着される第１光学シート固定シャーシ、前記光学シートの上面エッジを加圧する第１面及び前記第１面から折れて前記側壁に結合される第２面を含む第２光学シート固定シャーシ、及び、前記第１、第２光学シート固定シャーシを結合する結合部材を含む光分布変更モジュールと、
　前記側壁及び前記第２面を結合するための第１固定部材と、
　前記光学シートと向き合うように前記第１面の上方に設けられて前記光学シートから射出された光をイメージ情報が含まれた光に変更するための液晶表示パネルと、前記液晶表示パネルのエッジを取り囲んで加圧する第３面及び前記第３面に連結され前記側壁と結合するための第４面を有する液晶表示パネル固定シャーシを含むディスプレーモジュールと、
　前記第１面及び前記第３面を結合する第２固定部材と、
　前記側壁、前記第２面及び前記第４面を結合する第３固定部材とを含むことを特徴とする３段分離型液晶表示装置。
【請求項２３】
前記結合部材は、前記第１、第２光学シート固定シャーシを貫通する少なくとも一つの貫通孔、及び前記貫通孔に結合される締結ねじからなることを特徴とする請求項２２に記載の３段分離型液晶表示装置。
【請求項２４】
前記第１固定部材は、前記側面及び前記第２面を貫通する少なくとも一つの貫通孔、前記貫通孔に結合される少なくとも一つの締結ねじであることを特徴とする請求項２２に記載の３段分離型液晶表示装置。
【請求項２５】
前記第２固定部材は前記第１面及び前記第３面を貫通する少なくとも一つの貫通孔、前記貫通孔に結合される少なくとも一つの締結ねじであることを特徴とする請求項２２に記載の３段分離型液晶表示装置。
【請求項２６】
前記第３固定部材は前記側面、前記第２面及び前記第４面を貫通する少なくとも一つの貫通孔、前記貫通孔に結合される少なくとも一つの締結ねじであることを特徴とする請求項２２に記載の３段分離型液晶表示装置。
【請求項２７】
前記第４面のうちの前記第１固定部材と対応する所は前記第１固定部材が露出されるように切開された開口部が形成されたことを特徴とする請求項２２に記載の３段分離型液晶表示装置。
【請求項２８】
前記光学シートは、前記液晶表示パネルと隣接する所に位置したプリズムシートおよび前記ランプアセンブリに隣接する所に位置した拡散シートを含むことを特徴とする請求項２２に記載の３段分離型液晶表示装置。
【発明の詳細な説明】
【技術分野】
【０００１】
　本発明はランプアセンブリ、これを利用した光供給モジュール及びこれを備える３段分離型液晶表示装置に関するものであり、より詳細には、ディスプレーに必要とする光を発生させるランプアセンブリの部品数を大きく減少させることは勿論、消耗品であるランプの交替を容易にするランプアセンブリ、これを利用した光供給モジュール及びこれを備える３段分離型液晶表示装置に関するものである。
【背景技術】
【０００２】
　一般に、液晶表示装置は液晶に情報をディスプレーする表示装置である。
【０００３】
　液晶表示装置は、他のディスプレー装置に比べて体積が小さく軽いという長所を有する。また、液晶表示装置は他のディスプレー装置より優れたディスプレー品質を有しているので、液晶表示装置は大部分の情報処理装置の表示装置として幅広く使用されている。
【０００４】
　このような、液晶表示装置で使用される液晶は自ら光を発生させずに、光の透過度のみを調節する。このような理由で、液晶表示装置はディスプレーを実施するために光を必要とする。
【０００５】
　液晶表示装置はディスプレーを実施するために外部光を使用することができる。しかし、外部光を使用する液晶表示装置は暗い所でディスプレーが不可能であるという短所を有する。最近、開発された液晶表示装置は暗い所でもディスプレーを実施することができるように光を発生させるランプが設けられている。
【０００６】
　液晶表示装置に使用されるランプには、寿命が長く、光を発生する過程で光発生量が少ないという特性が要求される。冷陰極線管方式ランプはこのような要求を満足させるので、液晶表示装置の光源に使用されている。
【０００７】
　しかし、冷陰極線管方式ランプは永久的に使用することが困難であり、一定時間、例えば、１０，０００時間〜十万時間程度点灯された後には新しい冷陰極線管方式ランプに交替しなければならない。
【０００８】
　寿命が尽きた冷陰極線管方式ランプはディスプレーに致命的な影響を及ぼす。
【０００９】
　このような問題点は、小型液晶表示装置より大型液晶表示装置で特に著しい。
【００１０】
　これは、小型液晶表示装置は１個または２個の冷陰極線管方式ランプでディスプレーを実施するのに対し、大型液晶表示装置は数〜数十個のランプを必要とするためである。
【００１１】
　また、冷陰極線管方式ランプは液晶表示装置の内部の最も内側に配置される場合が大部分である。
【００１２】
　従って、液晶表示装置から冷陰極線管方式ランプを交替するために、液晶表示装置は部品別に完全に分解され、寿命が尽きた冷陰極線管方式ランプは新しいランプに交替される。その後、液晶表示装置は分解された部品が逆順組立てられる。
【００１３】
　現在まで、液晶表示装置は、対角線長さが３０インチ（７６．２センチメートル）以上、さらに４０インチ（１０１.６センチメートル）以上のものが開発されている。
【００１４】
　液晶表示装置は大型化されるほど、液晶表示装置を構成する部品が小型液晶表示装置に比べてさらに多くなる。これにより、冷陰極線管方式ランプの交替は段々困難になり、交替に要する時間も大きく増加している趨勢である。
【００１５】
　これにより、最近開発されている液晶表示装置は消耗品の交替をより容易にしながら、交替時間を減少させる方向に開発されている。
【発明の開示】
【発明が解決しようとする課題】
【００１６】
　本発明の目的は、ランプの交替を容易にすることは勿論、部品数を最少化し、及び組立工程数まで最少化したランプアセンブリを提供することにある。
【００１７】
　本発明の他の目的は、ランプの交替を容易することは勿論、部品数を最少化したランプアセンブリを含む光供給装置を提供することにある。
【００１８】
　また、本発明の他の目的は、簡単な分解工程によりディスプレーに必要とする光を発生させるランプを交換し、及び再組立てを行うることができ、組立または分解過程で液晶表示パネル及び光学シートに指紋または汚染物質が浸透または付かないようにした３段分離形液晶表示装置を提供することにある。
【課題を解決するための手段】
【００１９】
　上述した目的を達成するための本発明によるランプアセンブリは、蛍光層が内壁に塗布され、放電ガスが注入されたランプ本体、ランプ本体内部で放電を発生させるために第１放電電圧をランプ本体に印加する第１電極、及び第２放電電圧をランプ本体に印加する第２電極を各々含む少なくとも二つのランプと、第１放電電圧を各ランプの第１電極に印加するために、前記第１電極に結合される第１基板とを含む。
【００２０】
　上述した目的を達成するための本発明による光供給モジュールは、基底面、及び前記基底面のエッジから収納空間が形成されるように延びる第１、第２、第３及び第４の側壁を含む収納容器と、前記基底面、第３側壁及び第３側壁と向き合う第４側壁に隣接して設けられる第１及び第２ランプアセンブリ固定ブロックであって、その上面に第１、第２リセス部が形成された棒状の第１及び第２ランプアセンブリ固定ブロックと、各々のランプアセンブリ固定ブロックに形成されたスロットに前記基底面と平行に挿入されて固定された反射部材と、前記第１、第２リセス部に各々挿入された第１、第２基板及び第１、第２基板に各々連結された第１、第２電極を有するランプを含むランプアセンブリと、挿入された第１、第２基板を絶縁するために第１及び第２ランプアセンブリ固定ブロックを各々覆う第１及び第２絶縁ブロックを含む。
【００２１】
　上述した目的を達成するための本発明による３段分離形液晶表示装置は、光を供給するランプアセンブリ及びランプアセンブリを収納する基底面と複数の側壁とを有する収納容器を含む光供給モジュールと、前記ランプアセンブリから供給される光の光学分布を変更させて射出する光学シート、前記光学シートの底面エッジが定着される第１光学シート固定シャーシ、前記光学シートの上面エッジを加圧する第１面及び前記第１面から折れて前記側壁に結合される第２面を含む第２光学シート固定シャーシ、及び、前記第１、第２光学シート固定シャーシを結合する結合部材を含む光分布変更モジュールと、前記側壁及び前記第２面を結合するための第１固定部材と、前記光学シートと向き合うように前記第１面の上方に設けられて前記光学シートから射出された光をイメージ情報が含まれた光に変更するための液晶表示パネルと、前記液晶表示パネルのエッジを取り囲んで加圧する第３面及び前記第３面に連結され前記側壁と結合するための第４面を有する液晶表示パネル固定シャーシを含むディスプレーモジュールと、前記第１面及び前記第３面を結合する第２固定部材と、前記側壁、前記第２面及び前記第４面を結合する第３固定部材とを含む。
【００２２】
　本発明によると、液晶表示装置をディスプレーモジュール、光学分布変更モジュール及び光供給モジュール別に分離することができるようにしたので、修理または消耗品の交替が容易になる。
【発明を実施するための最良の形態】
【００２３】
　以下、図面を参照して本発明の望ましい一実施形態をより詳細に説明する。
【実施例１】
【００２４】
　図１は本発明の第１実施形態によるランプアセンブリの斜視図である。
【００２５】
　図１に示すように、ランプアセンブリ１００はランプ１１０、第１基板１２０及び第２基板１３０及び選択的にインバータモジュール１４０を含む。
【００２６】
　ランプ１１０は少なくとも２個が使用され、各ランプ１１０は互いに平行に配列され、並列に接続される。
【００２７】
　各ランプ１１０はランプ本体１１１、第１電極１１２及び第２電極１１３により構成される。
【００２８】
　図２は図１のＡ−Ａ断面図である。
【００２９】
　図１または図２に示すように、ランプ本体１１１は光透過度が高い物質により、チューブ形状に形成される。ランプ本体１１１の両端部は各々開口されている。
【００３０】
　このようなランプ本体１１１は放電ガス１１１ａ及び蛍光層１１１ｂを含む。
【００３１】
　放電ガス１１１ａはランプ本体１１１の内部に指定された圧力になるように注入される。放電ガス１１１ａは放電により放電ガス原子、中性子及び電子に解離される特性を有する。
【００３２】
　蛍光層１１１ｂはランプ本体１１１の内壁に蛍光物質を薄く塗布して製作される。蛍光層１１１ｂは電子の刺激により可視光線を発生させる。電子は放電により放電ガス１１１ａが解離される過程で発生する。
【００３３】
　第１電極１１２及び第２電極１１３はランプ本体１１１の内部で放電ガス１１１ａを解離させるための放電を発生させる。
【００３４】
　第１電極１１２は第１電極リード線１１２ａ、第１電極本体１１２ｂ及び第１密封ガラス１１２ｃを含む。
【００３５】
　第１電極リード線１１２ａはニッケルまたは銅からなり、棒形状に製作される。
【００３６】
　第１密封ガラス１１２ｃはランプ本体１１１の内周面に嵌め込まれる円筒形状を有する。第１密封ガラス１１２ｃには、第１密封ガラス１１２ｃがランプ本体１１１に嵌め込まれた状態でランプ本体１１１の内部及び外部を貫通する貫通孔が形成される。貫通孔には第１電極リード線１１２ａが挿入されて結合される。
【００３７】
　第１電極本体１１２ｂはランプ本体１１１の内部に位置した第１電極リード線１１２ａの端部に形成される。第１電極本体１１２ｂは、導電性であって電子の放出が容易であるように円筒形状を有し、ニッケルまたは銅により製作される。
【００３８】
　第１放電電圧は第１電極リード線１１２ａに印加される。
【００３９】
　本発明では、第１電極１１２として内部電極を使用したが、第１電極１１２がランプ本体１１１の外部に位置した外部電極であってもよい。
【００４０】
　第２電極１１３は第２電極リード線１１３ａ、第２電極本体１１３ｂ及び第２密封ガラス１１３ｃを含む。
【００４１】
　第２電極リード線１１３ａはニッケルまたは銅からなり、棒形状に製作される。
【００４２】
　第２密封ガラス１１３ｃはランプ本体１１１の内周面に嵌め込まれる円筒形状を有する。第２密封ガラス１１３ｃには第２密封ガラス１１３ｃがランプ本体１１１に嵌め込まれた状態でランプ本体１１１の内部及び外部を貫通する貫通孔が形成される。貫通孔には第２電極リード線１１３ａが挿入されて結合される。
【００４３】
　第２電極本体１１３ｂはランプ本体１１１の内部に位置した第２電極リード線１１３ａの端部に形成される。第２電極本体１１３ｂは導電性であって電子の放出が容易であるように円筒形状を有し、ニッケルまたは銅により製作される。
【００４４】
　第２放電電圧は第２電極リード線１１３ａに印加される。
【００４５】
　本発明では第２電極１１３として内部電極を使用したが、第２電極１１３がランプ本体１１１の外部に位置した外部電極であってもよい。
【００４６】
　ここで、第１電極１１２に印加される第１放電電圧は、第２電極１１３に印加される第２放電電圧と異なる。
【００４７】
　具体的に、第１放電電圧と第２放電電圧との差は第１電極１１２及び第２電極１１３間で放電が起こるのに十分な大きさである。
【００４８】
　第１基板１２０及び第２基板１３０は、外部から印加される第１放電電圧及び第２放電電圧を、複数個のランプ１１０が同時に点灯できるように供給する。
【００４９】
　図３は図１に図示された第１基板、第２基板及びランプを図示した分解斜視図である。
【００５０】
　図３に示すように、第１基板１２０は第１基板本体１２１、第１導電性パターン１２３、第１接触貫通孔１２５、第１ランプホルダー１２７及び第１コネクタ１２９を含む。
【００５１】
　第１基板本体１２１は望ましい一実施形態として、印刷回路基板である。第１基板本体１２１には第１導電性パターン１２３が形成される。第１導電性パターン１２３の長さは並列に配列された複数個のランプ１１０の第１電極１１２の配置幅（図３に「Ｌ１」で示す）より長い。
【００５２】
　第１接触貫通孔１２５は第１導電性パターン１２３に形成されたホールである。第１接触貫通孔１２５は第１導電性パターン１２３のうち、第１電極１１２が接続される位置に対応して形成される。第１導電性パターン１２３には、ランプ１１０の個数以上の数の第１接触貫通孔１２５が形成される。本発明では望ましい一実施形態として第１導電性パターン１２３には４個の第１接触貫通孔１２５が形成される。
【００５３】
　ここで、第１接触貫通孔１２５、第１導電性パターン１２３及び第１電極１１２ははんだ付けにより電気的に連結される。
【００５４】
　このように、はんだ付けを使用して第１接触貫通孔１２５、第１導電性パターン１２３及び第１電極１１２を連結すると分解が困難であるので、はんだ付けを行う代わりにクリップなどの固定手段を使用してもよい。
【００５５】
　第１ランプホルダー１２７はゴム材質であり、内側の面は円筒形状であり、外側の面は直方体形状に製作される。ランプ本体１１１は第１ランプホルダー１２７の一方の端部から第１ランプホルダー１２７に挿入され、第１ランプホルダー１２７の他方の端部は第１基板本体１２１に取り付けられる。第１ランプホルダー１２７は、第１基板本体１２１と第１電極リード線１１２ａとの間に約１ｍｍ程度のギャップを有するようにランプ１１０を保持する。第１ランプホルダー１２７は外部で加えられた振動、衝撃により第１電極リード線１１２ａが破損されないようにする。
【００５６】
　第１コネクタ１２９は後述する第１端子と結合されて第１放電電圧が印加される。また、第１コネクタ１２９は、第１導電性パターン１２３に結合される。
【００５７】
　第２基板１３０は、第１基板１２０と同様に構成される。すなわち、図３を参照して説明されるように、第２基板１３０は第２基板本体１３１、第２導電性パターン１３３、第２ランプホルダー１３７、第２接触貫通孔１３５及び第２コネクタ１３９を含む。
【００５８】
　第２基板本体１３１は望ましい一実施形態として印刷回路基板である。第２基板本体１３１には第２導電性パターン１３３が形成される。
【００５９】
　第２導電性パターン１３３の長さは並列方式に配列された複数個のランプ１１０の第２電極１１３の配置幅（図３の「Ｌ１」）より長い。
【００６０】
　第２接触貫通孔１３５は第２導電性パターン１３３に形成されたホールである。第２接触貫通孔１３５は第２導電性パターン１３３のうちの第２電極１１３が接続される位置に対応して形成される。
【００６１】
　第２導電性パターン１３３には、ランプ１１０の個数以上の数の第２接触貫通孔１３５が形成される。本発明では望ましい一実施形態として第２導電性パターン１３３には４個の第２接触貫通孔１３５が形成される。
【００６２】
　第２ランプホルダー１３７はゴム材質であり、内側の面は円筒形状であり、外側の面は直方体形状に製作される。ランプ本体１１１は第２ランプホルダー１３７の一方の端部から第１ランプホルダーに挿入され、第２ランプホールダー１３７の他方の端部は第２基板本体１３１に取り付けられる。
【００６３】
　第２ランプホルダー１３７は、第２基板本体１３１と第３電極リード線１１３ａとの間に約１ｍｍ程度のギャップを有するようにランプ１１０を保持する。第２ランプホルダー１３７は外部で加えられた振動、衝撃により第２電極リード線１１３ａが破損されないようにする。
【００６４】
　ここで、第２接触貫通孔１３５、第２導電性パターン１３３及び第２電極１１３ははんだ付けにより電気的に連結される。
【００６５】
　このように、はんだ付けを使用して第２接触貫通孔１３５、第２導電性パターン１３３及び第２電極１１３を連結すると分解が困難であるので、はんだ付けを行う代わりにクリップなどを使用してもよい。
【００６６】
　第２コネクタ１３９は第２導電性パターン１３３に結合される。
【００６７】
　インバータモジュール１４０は第１コネクタ１２９及び第２コネクタ１３９に連結される。
【００６８】
　図１に示すように、インバータモジュール１４０はインバータ１４１、第１放電電圧印加ライン１４２、第２放電電圧印加ライン１４３、第１端子１４４、第２端子１４５及びインバータ制御基板１４７により構成される。
【００６９】
　インバータ１４１は第１電極１１２に印加される第１放電電圧及び第２電極１１３に印加される第２放電電圧を発生する。インバータ１４１で発生された第１放電電圧は第１放電電圧印加ライン１４２に印加される。
【００７０】
　第１端子１４４は第１放電電圧印加ライン１４２に連結される。第１端子１４４は第１放電電圧を第１コネクタ１２９に供給する。
【００７１】
　インバータ１４１で発生された第２放電電圧は第２放電電圧印加ライン１４３に印加される。
【００７２】
　第２端子１４５は第２放電電圧印加ライン１４３に連結される。第２端子１４５は第２放電電圧を第２コネクタ１３９に供給する。
【００７３】
　インバータ制御基板１４７はインバータ１４１を制御する。具体的に、インバータ制御基板１４７は第１放電電圧及び第２放電電圧の大きさ及び印加時期を制御する。
【００７４】
　インバータモジュール１４０は、ランプアセンブリ１００に選択的に含まれており、ランプアセンブリ１００と共に製造及び販売されたり、ランプアセンブリ１００に含まれない状態で単独で製造及び販売されたりすることができる。
【実施例２】
【００７５】
　〈ボトムシャーシ〉
　本発明の第２実施形態として、第１実施形態で説明したランプアセンブリを利用した光供給モジュールの構成、作用及び効果を説明する。
【００７６】
　図４は本発明の第２実施形態による光供給モジュールの一部分であるボトムシャーシ及び光学シート固定ブロックの関係を図示した分解斜視図である。図５は本発明の第２実施形態による光学シート固定ブロックを図示した斜視図である。
【００７７】
　図４に示すように、ボトムシャーシ２００は基底面２１０及び側壁２２０により構成され、強度が優れているメタル材質により製作される。
【００７８】
　基底面２１０は幅（Ｗ）より長さ（Ｌ）が長い長方形を有する。基底面２１０は４個のエッジ（ｅｄｇｅ）を有する。
【００７９】
　側壁２２０は基底面２１０の各エッジから収納空間が形成されるように一方向に延びる。
【００８０】
　側壁２２０は、長さＬを有し互いに向き合う２個の第１側壁２２２及び第２側壁２２４と、ボトムシャーシの幅Ｗに相当する長さを有し互いに向き合う２個の第３側壁２２６及び第４側壁２２８を有する。
【００８１】
　基底面２１０には第１ねじ締結孔２１１が形成される。第１ねじ締結孔２１１は、基底面２１０の第１側壁２２２と接する縁部から基底面２１０の内側にオフセットされた所に、一直線上に並ぶように、複数個が形成される。
【００８２】
　基底面２１０には第２ねじ締結孔２１２が形成される。第２ねじ締結孔２１２は、基底面２１０の第２側壁２２４と接する縁部から基底面２１０の内側にオフセットされた所に一直線上に並ぶように、複数個が形成される。
【００８３】
　また、基底面２１０には第５ねじ締結孔２１３が形成される。第５ねじ締結孔２１３は、基底面２１０の第３側壁２２６と接する縁部から基底面２１０の内側にオフセットされた所に、一直線上に並ぶように、複数個が形成される。
【００８４】
　さらに、基底面２１０には第６ねじ締結孔２１４が形成される。第６ねじ締結孔２１４は、基底面２１０の第４側壁２２８と接する縁部から基底面２１０の内側にオフセットされた所に、一直線上に並ぶように、複数個が形成される。
【００８５】
　一方、ボトムシャーシ２００の基底面２１０には、前述したインバータ制御基板を固定するための、複数個のインバータ制御基板ねじ締結孔２１５が形成される。
【００８６】
　符号２２０ａはボトムシャーシ２００の第１乃至第４側壁に形成され、後述される光学シート固定シャーシに結合されるためのねじ締結孔であり、符号２２０ｂはボトムシャーシ２００の第１乃至第４側壁に形成され、後述される液晶表示パネル固定シャーシに結合されるためのねじ締結孔である。
【００８７】
　〈光学シート固定ブロック〉
　図４または図５に示すように、光学シート固定ブロック３００は第１光学シート固定ブロック３５０及び第２光学シート固定ブロック３９０により構成される。
【００８８】
　第１光学シート固定ブロック３５０及び第２光学シート固定ブロック３９０は、同一形状を有する。具体的には、第１光学シート固定ブロック３５０及び第２光学シート固定ブロック３９０は、一側面が傾斜し、断面が台形状の棒状に形成される。
【００８９】
　図４に示すように、第１光学シート固定ブロック３５０はボトムシャーシ２００の基底面２１０と第１側壁２２２とが接する角部分に設けられる。
【００９０】
　図５に示すように、第１光学シート固定ブロック３５０は第１、第２、第３、第４光学シート固定ブロック側面３５１、３５２、３５３、３５４、図４に示したボトムシャーシ２００の基底面２１０と接触する第１光学シート固定ブロック基底面３５５、組み立て時にボトムシャーシ２００の基底面２１０と向き合う第１光学シート固定ブロック上面３５６、及び第１棚部３５７を有する。
【００９１】
　第１光学シート固定ブロック側面３５１はボトムシャーシ２００の第１側壁２２２と密着する面であり、第２光学シート固定ブロック側面３５２は第１光学シート固定ブロック側面３５１と反対側に位置する面である。第２光学シート固定ブロック側面３５２は傾斜面である。
【００９２】
　また、第３光学シート固定ブロック側面３５３は図４に示したボトムシャーシ２００の第３側壁２２６と向き合い、第４光学シート固定ブロック側面３５４はボトムシャーシ２００の第４側壁２２８と向き合う。
【００９３】
　ここで、第３光学シート固定ブロック側面３５３はボトムシャーシ２００の第３側壁２２６との間に第１ギャップ（Ｇ１）を有し、第４光学シート固定ブロック側面３５４はボトムシャーシ２００の第４側壁２２８との間に第２ギャップ（Ｇ２）を有する。
【００９４】
　第１棚部３５７は第１光学シート固定ブロック上面３５６及び第２光学シート固定ブロック側面３５２により形成される角部分の全体に亙って形成される。
【００９５】
　このような構成を有する第１光学シート固定ブロック３５０をボトムシャーシ２００に固定するために、図５に示した第１光学シート固定ブロック上面３５６には第３ねじ締結孔３５６ａが形成される。ねじ３５６ｂは第３ねじ締結孔３５６ａに挿入された状態で図４に示したボトムシャーシ２００の第１ねじ締結孔２１１に締結される。
【００９６】
　図４に示すように、第２光学シート固定ブロック３９０はボトムシャーシ２００の基底面２１０及び第２側壁２２４により形成される角部分に設けられる。
【００９７】
　図５に示すように、第２光学シート固定ブロック３９０は第５、第６、第７、第８光学シート固定ブロック側面３９１、３９２、３９３、３９４、図４に示したボトムシャーシ２００の基底面２１０と接触する第２光学シート固定ブロック基底面３９５、第２光学シート固定ブロック基底面３９５の反対側に位置する第２光学シート固定ブロック上面３９６、及び第２棚部３９７を有する。
【００９８】
　第５光学シート固定ブロック側面３９１は図４に示したボトムシャーシ２００の第２側壁２２４と密着する面であり、第６光学シート固定ブロック側面３９２は第５光学シート固定ブロック側面３９１の反対側に位置する面である。第６光学シート固定ブロック側面３９２は傾斜面である。
【００９９】
　また、第７光学シート固定ブロック側面３９３は図４に示したボトムシャーシ２００の第３側壁２２６と向き合い、第８光学シート固定ブロック側面３９４はボトムシャーシ２００の第４側壁２２８と向き合う。
【０１００】
　ここで、第７光学シート固定ブロック側面３９３はボトムシャーシ２００の第３側壁２２６との間に第１ギャップ（Ｇ１）を有し、第８光学シート固定ブロック側面３９４はボトムシャーシ２００の第４側壁２２８との間に第２ギャップ（Ｇ２）を有する。
【０１０１】
　第２棚部３９７は第２光学シート固定ブロック上面３９６及び第６光学シート固定ブロック側面３９２により形成される角部分の全体にわたって形成される。
【０１０２】
　このような構成を有する第２光学シート固定ブロック３９０をボトムシャーシ２００に固定するために、図５に示した第２光学シート固定ブロック上面３９６には第４ねじ締結孔３９６ａが形成される。
【０１０３】
　ねじ３９６ｂは第４ねじ締結孔３９６ａに挿入された状態でボトムシャーシ２００の第２ねじ締結孔２１２に締結される。
【０１０４】
　〈ランプアセンブリ固定ブロック及び反射板〉
　図６は本発明の第２実施形態によるランプアセンブリ固定ブロック及び反射板を図示した分解斜視図である。図７はランプアセンブリ固定ブロックを図示した斜視図である。
【０１０５】
　図６に示すように、ランプアセンブリ固定ブロック４００及び反射板５００は互いに結合される。
【０１０６】
　ランプアセンブリ固定ブロック４００は第１ランプアセンブリ固定ブロック４５０及び第２ランプアセンブリ固定ブロック４９０により構成される。
【０１０７】
　第１、第２ランプアセンブリ固定ブロック４５０、４９０は同一形状を有し、全体として棒状の長方形ブロック形状を有する。
【０１０８】
　図７に示すように、第１ランプアセンブリ固定ブロック４５０は第１、第２、第３、第４ランプアセンブリ固定ブロック側面４５１、４５２、４５３、４５４、第１ランプアセンブリ固定ブロック基底面４５５及び第１ランプアセンブリ固定ブロック上面４５６を有する。
【０１０９】
　第１ランプアセンブリ固定ブロック側面４５１は図４に示したボトムシャーシ２００の第３側壁２２６に密着される。第２ランプアセンブリ固定ブロック側面４５２は第１ランプアセンブリ固定ブロック側面４５１と反対側の面である。
【０１１０】
　また、第３ランプアセンブリ固定ブロック側面４５３は図４に示したボトムシャーシ２００の第１側壁２２２に密着され、第４ランプアセンブリ固定ブロック側面４５４はボトムシャーシ２００の第２側壁２２４に密着される。
【０１１１】
　第１ランプアセンブリ固定ブロック基底面４５５は図４に示したボトムシャーシ２００の基底面２１０に密着される。
【０１１２】
　第１ランプアセンブリ固定ブロック上面４５６は、第１ランプアセンブリ固定ブロック基底面４５５と反対側に位置する面である。
【０１１３】
　第１ランプアセンブリ固定ブロック上面４５６には、第１ランプアセンブリ固定ブロック基底面４５５に向かう方向に第１貫通孔４５６ａ（第１リセス部）及び第１基板挿入溝４５６ｂ（第２リセス部）が形成される。
【０１１４】
　第１貫通孔４５６ａには図１に示したランプアセンブリ１００の第１基板１２０の第１コネクタ１２９が挿入される。
【０１１５】
　第１貫通孔４５６ａは第１ランプアセンブリ固定ブロック上面４５６側から第１ランプアセンブリ固定ブロック基底面４５５側へ第１ランプアセンブリ固定ブロック４５０を貫通するように形成され、第１コネクタ１２９に第１端子１４４が結合できるようにする。
【０１１６】
　第１基板挿入溝４５６ｂは、第１貫通孔４５６ａに連通するように、第１ランプアセンブリ固定ブロック上面４５６側から第１ランプアセンブリ固定ブロック基底面４５５に向かう方向に形成される。
【０１１７】
　第１基板挿入溝４５６ｂには、高電圧が印加された第１基板１２０が絶縁された状態で収納される。
【０１１８】
　第１基板挿入溝４５６ｂは第１ランプアセンブリ固定ブロック４５０に第１基板１２０の個数に相当する数形成される。ここで、第１基板挿入溝４５６ｂとそれに隣接する第１基板挿入溝は、相互に分離されるように断続的に形成される。
【０１１９】
　一方、第１基板挿入溝４５６ｂのみでは、第１基板１２０を第１基板挿入溝４５６ｂに挿入することができない。
【０１２０】
　これは第２ランプアセンブリ固定ブロック側面４５２と、図１に図示された第１基板１２０に連結されたランプ１１０のランプ本体１１１とが干渉するためである。
【０１２１】
　このような理由で、第２ランプアセンブリ固定ブロック側面４５２には、第１基板１２０が第１基板挿入溝４５６ｂに挿入される時にランプ本体１１１が挿入される開口４５２ｂが形成される。
【０１２２】
　また、第２ランプアセンブリ固定ブロック側面４５２には後述される反射板を挿入することができるようにするために、ボトムシャーシ２００の基底面２１０と平行な方向（すなわち第１ランプアセンブリ固定ブロック基底面４５５と平行な方向）に第１スロット４５２ｃが形成される。
【０１２３】
　図８は図６に示したランプアセンブリ固定ブロック及び反射板の背面側の構成を示す斜視図である。
【０１２４】
　図８に示すように、このような構成を有する第１ランプアセンブリ固定ブロック４５０の第１ランプアセンブリ固定ブロック基底面４５５には第７ねじ締結孔４５５ａが形成される。
【０１２５】
　第７ねじ締結孔４５５ａの位置は図４に示した第５ねじ締結孔２１３の位置と一致し、第７ねじ締結孔４５５ａ及び第５ねじ締結孔２１３はねじ４５５ｂにより締結される。
【０１２６】
　一方、図６または図７に図示された第２ランプアセンブリ固定ブロック４９０は、図４に図示されたボトムシャーシ２００の基底面２１０及び第４側壁２２８により形成される角部分に設けられる。
【０１２７】
　第２ランプアセンブリ固定ブロック４９０は、図７に示すように、第５、第６、第７、第８ランプアセンブリ固定ブロック側面４９１、４９２、４９３、４９４、図４に図示されたボトムシャーシ２００の基底面２１０と接触する第２ランプアセンブリ固定ブロック基底面４９５及び第２ランプアセンブリ固定ブロック基底面４９５と対向する位置にある第２ランプアセンブリ固定ブロック上面４９６を有する。
【０１２８】
　第５ランプアセンブリ固定ブロック側面４９１は、図４に図示されたボトムシャーシ２００の第４側壁２２８に密着される。第６ランプアセンブリ固定ブロック側面４９２は第５ランプアセンブリ固定ブロック側面４９１と反対側に位置する面である。。
【０１２９】
　また、第７ランプアセンブリ固定ブロック側面４９３はボトムシャーシ２００の第１側壁２２２に密着され、第８ランプアセンブリ固定ブロック側面４９４はボトムシャーシ２００の第２側壁２２４に密着される。
【０１３０】
　第２ランプアセンブリ固定ブロック上面４９６には、第２ランプアセンブリ固定ブロック基底面４９５に向かう方向に第２貫通孔４９６ａ（第１リセス部）及び第２基板挿入溝４９６ｂ（第２リセス部）が形成される。
【０１３１】
　第２貫通孔４９６ａは、図１に図示されたランプアセンブリ１００の第２基板１３０の第２コネクタ１３９と対応する位置に形成される。第２貫通孔４９６ａは第２ランプアセンブリ固定ブロック上面４９６側から第２ランプアセンブリ固定ブロック基底面４９５側へ第１ランプアセンブリ固定ブロック４５０を貫通するように形成される。
【０１３２】
　第２基板挿入溝４９６ｂは第２貫通孔４９６ａに連通するように形成される。
【０１３３】
　第２基板挿入溝４９６ｂは第２ランプアセンブリ固定ブロック上面４９６から第２ランプアセンブリ固定ブロック基底面４９５に向かう方向に形成される。
【０１３４】
　第２基板挿入溝４９６ｂには、高電圧が印加された第２基板１３０が絶縁状態で収納される。
【０１３５】
　第２基板挿入溝４９６ｂは第２ランプアセンブリ固定ブロック４９０に第２基板１３０の個数に相当する数形成される。ここで、第２基板挿入溝４９６ｂとそれに隣接する第２基板挿入溝は、相互に分離されるように断続的に形成される。
【０１３６】
　一方、第２基板挿入溝４９６ｂのみでは、第２基板１３０を第２基板挿入溝４９６ｂに挿入することができない。
【０１３７】
　これは、第６ランプアセンブリ固定ブロック側面４９２と、図１に図示された第２基板１３０に連結されたランプ１１０のランプ本体１１１とが互いに干渉するためである。
【０１３８】
　このような理由で、第６ランプアセンブリ固定ブロック側面４９２には、ランプ本体１１１が挿入される開口４９２ｂが形成される。
【０１３９】
　また、第６ランプアセンブリ固定ブロック側面４９２には後述される反射板が挿入される第２スロット４９２ｃが形成される。
【０１４０】
　図６に示すように、このような構成を有する第２ランプアセンブリ固定ブロック４９０の後面すなわち第２ランプアセンブリ固定ブロック基底面４９５には、第８ねじ締結孔４９５ａが形成される。
【０１４１】
　第８ねじ締結孔４９５ａは図４に図示された第６ねじ締結孔２１４と一致し、第８ねじ締結孔４９５ａ及び第６ねじ締結孔２１４はねじ４９５ｂにより締結される。
【０１４２】
　〈反射板〉
　図６または図８に示すように、反射板５００は長方形状に４個のエッジを有する。これらエッジを第１エッジ５１０、第２エッジ５２０、第３エッジ５３０及び第４エッジ５４０と称する。
【０１４３】
　これらのエッジのうちの第１エッジ５１０は、組み立てたときに図４及び図５に図示された第１光学シート固定ブロック３５０の第２光学シート固定ブロック側面３５２に沿って第１棚部３５７まで延びるように構成される。
【０１４４】
　第３エッジ５３０は第１エッジ５１０と対向する位置にあり、図４及び図５に図示された第２光学シート固定ブロック３９０の第６光学シート固定ブロック側面３９２に沿って第２棚部３９７まで延びるように構成される。
【０１４５】
　第２エッジ５２０は図７に図示された第１ランプアセンブリ固定ブロック４５０の第１スロット４５２ｃに挿入されて固定され、第４エッジ５４０は第２ランプアセンブリ固定ブロック４９０の第２スロット４９２ｃに挿入されて固定される。
【０１４６】
　図６で反射板５００に設けられた符号５５０は、図１に図示されたランプアセンブリ１００のランプ１１０の位置が変動しないようにランプ１１０を固定するランプ固定部材である。ランプ固定部材５５０には、光学シートの撓みや変形を防止するために突出する光学シート撓み防止突起５５５が形成される。
【０１４７】
　図９は本発明の第２実施形態による反射板、ランプアセンブリ固定ブロック及びランプアセンブリの結合関係を図示した斜視図である。図１０は図９のＡ部拡大図である。
【０１４８】
　図９または図１０に示すように、ランプアセンブリ１００の第１基板１２０は第１基板挿入溝４５６ｂに挿入され、第２基板１３０は第２基板挿入溝４９６ｂに挿入される。
【０１４９】
　〈絶縁フレーム〉
　図１１は図９に絶縁フレームが結合された状態を図示した斜視図である。図１２は図１１を１８０°回転させた状態で分離した状態を図示した分解斜視図である。
【０１５０】
　図１１または図１２に示すように、絶縁フレーム６００は図１に図示されたランプアセンブリ１００の第１基板１２０が第１基板挿入溝４５６ｂから離脱したり第２基板１３０が第２基板挿入溝４９６ｂから離脱したりすることを防止するとともに、第１、第２基板１２０、１３０を絶縁させる役割を担う。
【０１５１】
　これを実現するために、絶縁フレーム６００は第１絶縁フレーム６５０及び第２絶縁フレーム６９０により構成される。
【０１５２】
　図１１に示すように、第１絶縁フレーム６５０は第１絶縁フレーム本体６１０及び第１絶縁フレーム側面６２０により構成される。
【０１５３】
　第１絶縁フレーム本体６１０は図９に図示された第１ランプアセンブリ固定ブロック４５０の第１ランプアセンブリ固定ブロック上面４５６を覆う形状を有する。
【０１５４】
　第１絶縁フレーム側面６２０は、図９に図示された第１ランプアセンブリ固定ブロック４５０の第２ランプアセンブリ固定ブロック側面４５２を覆うように、第１絶縁フレーム本体６１０のエッジから折り曲げられて延びる形状を有する。
【０１５５】
　第１絶縁フレーム本体６１０には図５に図示された第１光学シート固定ブロック３５０の第１棚部３５７と連結される第３棚部６４０が形成される。
【０１５６】
　また、第１絶縁フレーム本体６１０には選択的に第９ねじ締結孔６４５が形成される。第９ねじ締結孔６４５は、ねじ６４５ａにより、第１ランプアセンブリ固定ブロック４５０の第１ランプアセンブリ固定ブロック上面４５６に結合される。
【０１５７】
　第１絶縁フレーム側面６２０には、第１絶縁フレーム側面６２０がランプ１１０のランプ本体１１１と干渉しないように、ランプ本体１１１が挿入される開口６３０が形成される。
【０１５８】
　図１２に示すように、第２絶縁フレーム６９０は第２絶縁フレーム本体６６０及び第２絶縁フレーム側面６７０により構成される。
【０１５９】
　第２絶縁フレーム本体６６０は第２ランプアセンブリ固定ブロック４９０の第２ランプアセンブリ固定ブロック上面４９６を覆う形状を有する。
【０１６０】
　第２絶縁フレーム側面６７０は、第２ランプアセンブリ固定ブロック４９０の第６ランプアセンブリ固定ブロック側面４９２を覆うように、第２絶縁フレーム本体６６０のエッジから延びる形状を有する。
【０１６１】
　第２絶縁フレーム本体６６０には図５に図示された第２棚部３９７と連結される第４棚部６８０が形成される。
【０１６２】
　また、第２絶縁フレーム本体６６０には選択的に第１０ねじ締結孔６８５が形成される。第１０ねじ締結孔６８５はねじ６８５ａにより第２ランプアセンブリ固定ブロック４９０の第２ランプアセンブリ固定ブロック上面４９６に締結される。
【０１６３】
　第２絶縁フレーム側面６７０には、第２絶縁フレーム側面６７０がランプ１１０のランプ本体１１１にあたらないように、ランプ本体１１１が挿入される開口６７５が形成される。
【０１６４】
　図１３は本発明の第２実施形態による光供給モジュールを全体的に図示した斜視図である。図１４は図１３のＢ−Ｂ断面図である。図１５は図１３のＣ−Ｃ断面図である。
【０１６５】
　図１３乃至図１５に示すように、ランプアセンブリ１００は第１、第２ランプアセンブリ固定ブロック４５０、４９０に結合される。第１、第２ランプアセンブリ固定ブロック４５０、４９０には、第１、第２絶縁フレーム６５０、６９０が第９ねじ締結孔６４５及び第１０ねじ締結孔６８５及び締結ねじを媒介に結合される。これらがボトムシャーシ２００の収納空間に収納されて光供給モジュール７００が製作される。
【実施例３】
【０１６６】
　図１６は本発明の第３実施形態としての液晶表示装置を概念的に図示した概念図である。
【０１６７】
　図１６に示すように、液晶表示装置１０００は、光供給モジュール７００、光分布変更モジュール８００、第１固定ねじ７５０、ディスプレーモジュール９００、第２固定ねじ９５０及び第３固定ねじ９７０により構成される。
【０１６８】
　光供給モジュール７００は液晶表示装置１０００がディスプレーを実施するために必ず必要とする光を提供する役割を有する。
【０１６９】
　光分布変更モジュール８００は光供給モジュール７００で発生した光の光学特性を改善してディスプレー品質を向上させる役割を有する。
【０１７０】
　このような役割を実施する光供給モジュール７００及び光分布変更モジュール８００は、第１固定ねじ７５０を媒介に相互に結合される。
【０１７１】
　ディスプレーモジュール９００は、光供給モジュール７００で発生して光分布変更モジュール８００で光学特性が向上された光をイメージが含まれたイメージ光に変更する役割を有する。
【０１７２】
　第２固定ねじ９５０は光分布変更モジュール８００及びディスプレーモジュール９００を相互に結合する。
【０１７３】
　一方、第３固定ねじ９７０は光供給モジュール７００、光分布変更モジュール８００及びディスプレーモジュール９００と全て結合して、光供給モジュール７００、光分布変更モジュール８００及びディスプレーモジュール９００が相互に結合されて液晶表示装置１０００を構成するようにする。
【０１７４】
　このような構造を有する液晶表示装置１０００は、部位別の部品修理及び部品交替が非常に簡単であるという長所を有する。
【０１７５】
　図１７は本発明の第３実施形態により光供給モジュール、光分布変更モジュール及びディスプレーモジュールを２個に分離した状態が図示されている。
【０１７６】
　図１７に示すように、液晶表示装置１０００から第１固定ねじ７５０及び第３固定ねじ９７０を分離させることにより、液晶表示装置１０００の光供給モジュール７００は光分布変更モジュール８００及びディスプレーモジュール９００から分離される。このとき、ディスプレーモジュール９００には第１固定ねじ７５０が通される開口７７０が形成され、第１固定ねじ７５０およびが開口７７０を通じて外部に露出される。
【０１７７】
　このように、開口７７０において露出されている第１固定ねじ７５０を取り出して光供給モジュール７００のみを液晶表示装置１０００から分離することにより、光供給モジュール７００に含まれた消耗性部品、例えば、ランプアセンブリなどをさらに簡単に交替または分離することができる。
【０１７８】
　図１８は本発明の第３実施形態により光供給モジュール、光分布変更モジュール及びディスプレーモジュールを３個に分離したものが図示されている。
【０１７９】
　図１８に示すように、液晶表示装置１０００から第１固定ねじ７５０、第２固定ねじ９５０及び第３固定ねじ９７０を全て取り外すことにより、液晶表示装置１０００の光供給モジュール７００、光分布変更モジュール８００及びディスプレーモジュール９００は全て分離される。
【０１８０】
　このように、光供給モジュール７００、光分布変更モジュール８００及びディスプレーモジュール９００が全て分離されることにより、光供給モジュール７００に含まれた構成部品（例えば、ランプアセンブリ）、光分布変更モジュール８００に含まれた構成部品（例えば、光学シート）及びディスプレーモジュール９００に含まれた構成部品（例えば、液晶表示パネル）などを、より便利に交替または分離させることができる。
【０１８１】
　上述した本発明の〈第１実施形態〉ではランプアセンブリを説明し、〈第２実施形態〉ではランプアセンブリを含む光供給モジュールを説明したので、ランプアセンブリ及び光供給モジュールに関連した説明は省略する。
【０１８２】
　図１９は本発明の第３実施形態による光分布変更モジュールのうちの第１光学シート固定シャーシが光供給モジュールに結合された状態を図示した斜視図である。図２０は図１９の第１光学シート固定シャーシを切断した断面図である。
【０１８３】
　図１９または図２０に示すように、第１光学シート固定シャーシ８１０は第１光学シート固定シャーシ本体８０２、第２光学シート固定シャーシ本体８０４及び第３光学シート固定シャーシ本体８０６により構成される。
【０１８４】
　第１光学シート固定シャーシ本体８０２は内側が開口した四角形のフレーム形状を有し、ボトムシャーシ２００の基底面と平行な面を有している。第１光学シート固定シャーシ本体８０２は図５に図示された第１、第２光学シート固定ブロック上面３５６、３９６に形成された第１、第２棚部３５７、３９７及び図１１に図示された第１、第２絶縁フレーム６５０、６９０の第３、第４棚部６４０、６８０に定着される。
【０１８５】
　第１光学シート固定シャーシ本体８０２には所定の間隔で第１１ねじ締結孔８０８が形成される。
【０１８６】
　第２光学シート固定シャーシ本体８０４は第１光学シート固定シャーシ本体８０２の内側面に沿って形成されている。第２光学シート固定シャーシ本体８０４は、第１、第２光学シート固定ブロック上面３５６、３９６に形成された第１、第２棚部３５７、３９７の基底面、及び、第１、第２絶縁フレーム６５０、６９０に形成された第３、第４棚部６４０、６８０の基底面まで延びる形状を有する。
【０１８７】
　第３光学シート固定シャーシ本体８０６は、第１、第２光学シート固定ブロック上面３５６、３９６に形成された第１、第２棚部３５７、３９７の基底面及び第１、第２絶縁フレーム６５０、６９０に形成された第３、第４棚部６４０、６８０の基底面に定着できるように第２光学シート固定シャーシ本体８０４のエッジから内側に向かって延びる形状を有する。
【０１８８】
　図２１は本発明の第３実施形態により第１光学シート固定シャーシに光学シートが定着された後、第２光学シート固定シャーシと結合された状態を図示した部分断面図である。図２２は第２光学シート固定シャーシを図示した斜視図である。
【０１８９】
　図２１に示すように、光学シート８２０は、図２１に図示された第３光学シート固定シャーシ本体８０６に定着される。光学シート８２０はプリズムシート（例えばデュアル輝度強化フィルム（Ｄｕｅｌ　Ｂｒｉｇｈｔｎｅｓｓ　Ｅｎｈａｎｃｅｍｅｎｔ　Ｆｉｌｍ；ＤＢＥＦ））８２２、拡散シート８２４及び拡散プレート８２６などにより構成される。
【０１９０】
　図２１または図２２に示すように、第２光学シート固定シャーシ８３０は第２光学シート固定シャーシ本体（第１面）８３２及び第２光学シート固定シャーシ側面（第２面）８３４により構成される。
【０１９１】
　第２光学シート固定シャーシ本体８３２は図２０の第１光学シート固定シャーシ８１０の第１光学シート固定シャーシ本体８０２を覆うように、内側に四角形の開口８３３が形成された四角形のフレーム形状を有する。
【０１９２】
　第２光学シート固定シャーシ本体８３２には、後述する液晶表示パネルの動きを防止するためのガラス動き防止突起８３６が複数に形成される。
【０１９３】
　第２光学シート固定シャーシ本体８３２及び第１光学シート固定シャーシ８１０には、締結ねじ８３７を媒介に第２光学シート固定シャーシ本体８３２を第１光学シート固定シャーシ８１０に締結するための第１２ねじ締結孔８３８が形成される。なお、締結ねじ８３７及び第１２締結ねじ孔８３８は、それぞれ、本発明の結合部材の締結ねじ及び貫通孔を構成する。
【０１９４】
　また、第２光学シート固定シャーシ本体８３２には後述される液晶表示パネル固定シャーシと結合されるための第１３ねじ締結孔８３９が形成される。
【０１９５】
　第２光学シート固定シャーシ側面８３４は、第２光学シート固定シャーシ本体８３２の外側面エッジからボトムシャーシ２００の第１乃至第４側壁と平行である方向に延びられる。
【０１９６】
　第２光学シート固定シャーシ側面８３４には所定の間隔に複数個の第１４ねじ締結孔８３４ａが形成される。第１４ねじ締結孔８３４ａの上部には第１５ねじ締結孔８３４ｂが形成される。
【０１９７】
　第１固定ねじ７５０は、第２光学シート固定シャーシ側面８３４に形成された第１４ねじ締結孔８３４ａ及びボトムシャーシ２００の第１乃至第４側壁に形成されたねじ締結孔２２０ａに通されて、第２光学シート固定シャーシ側面８３４及びボトムシャーシ２００の第１乃至第４側壁相互に締結する。第１固定ねじ７５０、第１４締結孔８３４ａ及びねじ締結孔２２０ａは、本発明の第１固定部材の締結ねじ及び貫通孔を構成する。
【０１９８】
　図２３は、本発明の第３実施形態による、光分布変更モジュールの外側にディスプレーモジュールが設けられた状態を図示した斜視図である。図２４は、図２３に示した液晶表示装置１０００を分解したときの内部構造を図示する断面図である。
【０１９９】
　図２３または図２４に示すように、ディスプレーモジュール９００は、ＴＦＴ基板９０６、液晶９０４及びカラーフィルタ基板９０２及び駆動モジュール（図示せず）からなる液晶表示パネルアセンブリ９１０を有する。
【０２００】
　液晶表示パネルアセンブリ９１０は非常に多様な構造及び駆動方法を有しており、どのような構造及び駆動方法を有する液晶表示パネルアセンブリであっても、本発明に適用することができる。
【０２０１】
　図２３に示すように、液晶表示パネル固定シャーシ９３０は、液晶表示パネル固定シャーシ本体（第３面）９３２及び液晶表示パネル固定シャーシ側面（第４面）９３４により構成される。
【０２０２】
　液晶表示パネル固定シャーシ本体９３２は、第２光学シート固定シャーシ本体８３２に定着された液晶表示パネルアセンブリ９１０のエッジを加圧するように、内側エッジ及び外側エッジを有する四角形のフレーム形状を有する。
【０２０３】
　液晶表示パネル固定シャーシ本体９３２には前述した第２光学シート固定シャーシ本体８３２と結合するための第１６ねじ締結孔９３３が形成される。
【０２０４】
　第２固定ねじ９５０は、第１６ねじ締結孔９３３と第２光学シート固定シャーシ本体８３２に形成された第１３ねじ締結孔８３９とに通されて、液晶表示パネル固定シャーシ本体９３２及び第２光学シート固定シャーシ本体８３２を互いに結合させる。第２固定ねじ９５０、第１３ねじ締結孔８３９及び第１６ねじ締結孔９３３は、本発明の第２固定部材の締結ねじ及び貫通孔を構成する。
【０２０５】
　液晶表示パネル固定シャーシ側面９３４は、液晶表示パネル固定シャーシ本体９３２の外周エッジから図４に図示されたボトムシャーシ２００の第１乃至第４側壁２２２、２２４、２２６、２２８に沿ってに延びる。
【０２０６】
　液晶表示パネル固定シャーシ側面９３４には、図４に図示されたボトムシャーシ２００の第１乃至第４側壁２２２、２２４、２２６、２２８及び第２光学シート類固定シャーシ側壁８３４を同時に締結するための固定ねじが通される第１７ねじ締結孔９３６が形成される。
【０２０７】
　第３固定ねじ９７０は液晶表示パネル固定シャーシ側面９３４に形成された第１７ねじ締結孔９３６、ボトムシャーシ２００の第１乃至第４側壁２２２、２２４、２２６、２２８に形成されたねじ締結孔２２０ｂ及び第２光学シート類固定シャーシ側壁８３４に形成された第１５ねじ締結孔８３４ｂに通されて、液晶表示パネル固定シャーシ９３０、ボトムシャーシ２００及び第２光学シート類固定シャーシ８３０を締結して、液晶表示装置１０００が製作されるようにする。第１７ねじ締結孔９３６、ねじ締結孔２２０ｂ、第１５ねじ締結孔８３４ｂ及び第３固定ねじ９７０は、本発明の第３固定部材の貫通孔及び締結ねじを構成する。
【０２０８】
　以上、本発明の実施例によって詳細に説明したが、本発明はこれに限定されず、本発明が属する技術分野において通常の知識を有するものであれば本発明の思想と精神を離れることなく、本発明を修正または変更できるであろう。
【０２０９】
　本発明によると、液晶表示装置のうちの消耗品であるランプアセンブリを、ただ２回または３回の分解過程を通じて交替または分離できるようにすることにより、消耗品交替に必要である時間を大きく減少させることができる。このような長所は、特に、大型液晶表示方式テレビに有用であり、ランプアセンブリを構成する部品数を大きく節減させて生産費用も大きく減少させることができる。
【図面の簡単な説明】
【０２１０】
【図１】本発明の第１実施形態によるランプアセンブリの斜視図である。
【図２】図１のＡ−Ａ断面図である。
【図３】図１に図示された第１基板、第２基板及びランプを図示した分解斜視図である。
【図４】本発明の第２実施形態による光供給モジュールの一部であるボトムシャーシ及び光学シート固定ブロックの関係を図示した斜視図である。
【図５】本発明の第２実施形態による光学シート固定ブロックを図示した斜視図である。
【図６】本発明の第２実施形態によるランプアセンブリ固定ブロック及び反射板を図示した斜視図である。
【図７】図６のランプアセンブリ固定ブロックを図示した斜視図である。
【図８】図６に示したランプアセンブリ固定ブロック及び反射板の背面側の構成を示す斜視図である。
【図９】本発明の第２実施形態による反射板、ランプアセンブリ固定ブロック及びランプアセンブリの結合関係を図示した斜視図である。
【図１０】図９のＡ部の部分拡大図である。
【図１１】本発明の第２実施形態により図９に示した反射板、ランプアセンブリ固定ブロック及びランプアセンブリに更に絶縁フレームが結合された状態を図示した斜視図である。
【図１２】図１１を１８０°回転させた状態で分離した状態を図示した分解斜視図である。
【図１３】本発明の第２実施形態による光供給モジュールを全体的に図示した斜視図である。
【図１４】図１３のＢ−Ｂ断面図である。
【図１５】図１３のＣ−Ｃ断面図である。
【図１６】本発明の第３実施形態による液晶表示装置を概念的に図示した概念図である。
【図１７】本発明の第３実施形態により光供給モジュール、光分布変更モジュール、ディスプレーモジュールを２つの部分に分離した状態を示す説明図である。
【図１８】本発明の第３実施形態により光供給モジュール、光分布変更モジュール、ディスプレーモジュールを３つの部分に分離した状態を示す説明図である。
【図１９】本発明の第３実施形態による光分布変更モジュールのうちの第１光学シート固定シャーシが光供給モジュールに結合された状態を図示した斜視図である。
【図２０】図１９の第１光学シート固定シャーシの断面図である。
【図２１】本発明の第３実施形態により第１光学シート固定シャーシに光学シートが定着された後、第２光学シート固定シャーシと結合された状態を示す部分断面図である。
【図２２】第２光学シート固定シャーシを図示した斜視図である。
【図２３】本発明の第３実施形態により光分布変更モジュールの外側にディスプレーモジュールが設けられた状態を図示した斜視図である。
【図２４】図２３に示した液晶表示装置を分解した後の内部構造を示す断面図である。
【符号の説明】
【０２１１】
１２０　　第１基板
１２１　　第１基板本体
１２３　　第１導電性パターン
１２５　　第１接触貫通孔
１２７　　第１ランプホルダー
１２９　　第１コネクタ
１３０　　第２基板
１３１　　第２基板本体
１３３　　第２導電性パターン
１３５　　第２接触貫通孔
１３７　　第２ランプホルダー
２００　　ボトムシャーシ
２１０　　基底面
２１１　　第１ねじ締結孔
２１５　　インバータ制御基板ねじ締結孔
２２０　　側壁
２２２　　第１側壁
２２４　　第２側壁
２２６　　第３側壁
２２８　　第４側壁
３００　　光学シート固定ブロック
３５０　　第１光学シート固定ブロック
３５１　　第１光学シート固定ブロック側面
３５２　　第２光学シート固定ブロック側面
３５３　　第３光学シート固定ブロック側面
３５４　　第４光学シート固定ブロック側面
３５５　　第１光学シート固定ブロック基底面
３５６　　第１光学シート固定ブロック上面
３９０　　第２光学シート固定ブロック
７００　　光供給モジュール
７５０　　第１固定ねじ
８００　　光分布変更モジュール
９００　　ディスプレーモジュール
９５０　　第２固定ねじ
９７０　　第３固定ねじ
１０００　　液晶表示装置
【図１】
2004079531.tif 000003
【図２】
2004079531.tif 000004
【図３】
2004079531.tif 000005
【図４】
2004079531.tif 000006
【図５】
2004079531.tif 000007
【図６】
2004079531.tif 000008
【図７】
2004079531.tif 000009
【図８】
2004079531.tif 000010
【図９】
2004079531.tif 000011
【図１０】
2004079531.tif 000012
【図１１】
2004079531.tif 000013
【図１２】
2004079531.tif 000014
【図１３】
2004079531.tif 000015
【図１４】
2004079531.tif 000016
【図１５】
2004079531.tif 000017
【図１６】
2004079531.tif 000018
【図１７】
2004079531.tif 000019
【図１８】
2004079531.tif 000020
【図１９】
2004079531.tif 000021
【図２０】
2004079531.tif 000022
【図２１】
2004079531.tif 000023
【図２２】
2004079531.tif 000024
【図２３】
2004079531.tif 000025
【図２４】
2004079531.tif 000026